(57)【要約】【課題】屈曲部を有するプロテクタにおいて、簡単な構造で、プロテクタの外部にはみ出る電線をプロテクタ内に誘い込み、電線のかみ込みを防止する。【解決手段】車両に配索するワイヤハーネスＷ／Ｈ用プロテクタ１０であって、底壁１１ａと両側壁とからなる電線挿通部１１ｄに、ワイヤハーネスＷ／Ｈの電線群Ｗをテープ巻き結束せずに挿通させる樋形状のプロテクタ本体１１と、プロテクタ本体の一側壁１１ｂの先端より薄肉ヒンジ部１３を介して連結し、プロテクタ本体の他端壁にロック結合する蓋１２とを備え、プロテクタ本体１１と蓋１２は直線路の間に屈曲部を備え、該屈曲部ではプロテクタ本体の側壁と蓋との間に前記薄肉ヒンジ部が設けられずに分断され、該プロテクタ本体の屈曲部の前記一側壁の先端より電線噛み込み防止用の可撓性を有する羽根部１４を突出している。【選択図】図１
2009171816.tif 000002
【特許請求の範囲】
【請求項１】
車両に配索するワイヤハーネス用の樹脂成形品からなるプロテクタであって、
底壁と両側壁とからなる樋形状の電線挿通部に、ワイヤハーネスの電線群をテープ巻き結束せずに挿通させるプロテクタ本体と、
前記プロテクタ本体の一側壁の先端より薄肉ヒンジ部を介して連結し、プロテクタ本体に電線群を挿通させた後に前記薄肉ヒンジ部を支点として回転させてプロテクタ本体の他端壁にロック結合する蓋と、
を備え、
前記プロテクタ本体と蓋は、直線部の間に屈曲部を備え、該屈曲部ではプロテクタ本体の側壁と蓋との間に前記薄肉ヒンジ部が設けられずに分断され、該プロテクタ本体の屈曲部の前記一側壁の先端より電線噛み込み防止用の可撓性を有する羽根部を突出しているワイヤハーネス用プロテクタ。
【発明の詳細な説明】
【技術分野】
【０００１】
本発明は、ワイヤハーネス用プロテクタに関し、詳しくは、プロテクタの屈曲部における電線のはみ出しを防止するものである。
【背景技術】
【０００２】
車両に配索されるワイヤハーネスには、他の車載機器との外部干渉から電線群を保護すると共に配索経路を規制する目的で、樹脂成形品からなるプロテクタを取り付ける場合が多い。
特に、近年、車両に搭載される電装品が増加し、これら電装品や車両側機器の間にワイヤハーネスを配索する際、ワイヤハーネスの配索経路が屈曲する場合が増えている。そのため、ワイヤハーネスの経路規制および保護を図るためにワイヤハーネスに外装するプロテクタも図６に示すプロテクタ１のように屈曲部２を有する複雑な形状となる場合が多い。
【０００３】
プロテクタ内に挿通するワイヤハーネスの電線群がテープ巻き結束せずに、バラバラの状態で挿通する場合、電線の癖付き等によりプロテクタから電線がはみ出しやすくなる。
プロテクタは、図６に示すように、樋形状のプロテクタ本体３に薄肉ヒンジ部４を介して蓋５を取り付けており、プロテクタ本体３から電線ｗがはみだすと、蓋５の閉鎖時に蓋５とプロテクタ本体３の側壁との間に挟まって、電線ｗに損傷が生じることとなる。よって、作業員は電線ｗがプロテクタ本体３からはみ出さないように手で押さえながら蓋５を閉じる必要があるが、蓋５をプロテクタ本体３にロック結合する際には、作業員は電線ｗから手を離さなければならず、その瞬間に電線ｗがはみ出して蓋５とプロテクタ本体３の間に噛み込む場合がある。
また、屈曲部２がある場合、薄肉ヒンジ部４は屈曲部２ａには設けられずにプロテクタ本体３と蓋５とは分離されている。この薄肉ヒンジ部４が設けられていない区間で、特に、電線ｗが蓋５とプロテクタ本体３との間に噛み込みやすい。これは、電線ｗは屈曲部２で屈曲させてプロテクタ本体３内に通す必要があるが、電線ｗは直線状になりやすいため、屈曲部２では電線ｗのはみ出しが起こりやすく、薄肉ヒンジ部４が設けられていない区間で蓋５とプロテクタ本体３との間に挟まれて電線ｗに損傷が生じる。
【０００４】
プロテクタからの電線のはみ出しや蓋による電線のかみ込みを防止する構造は、従来、種々提案されている。例えば、本出願人は、特開平７−２４５８３９号公報（特許文献１）において、図７に示すように、樋形状の電線挿通部６ａと、該電線挿通部６ａの上面開口を閉鎖する別体の蓋６ｂとを備え、電線挿通部６ａの側壁６ｃの上端より、該電線挿通部６ａの上面開口に突出する電線係止板部６ｄを突出すると共に、該電線係止板部６ｄの基端部両側に連続して側壁６ｃに上端からスリット６ｅを切り込んだプロテクタ６を提案している。
【０００５】
このプロテクタ６は、電線挿通部６ａへの電線挿入時には、前記電線係止板部６ｄが外方へ変位して電線挿入を許容し、電線挿入後は該電線係止板部６ｄが内方に変位して電線挿通部６ａ内に収容した電線を上から押さえ、電線の浮き上がりやはみ出しを防止すると共に、蓋６ｂを閉鎖するときのかみ込みを防いでいる。
【０００６】
しかし、このようなプロテクタは構造が複雑化するため金型代が高くなり、コスト高となるという問題がある。また、配索スペースが少ない等の理由から小型のプロテクタを用いる場合があるが、小型のプロテクタには前記構造を設けることは困難である。
【０００７】
【特許文献１】特開平７−２４５８３９号公報
【発明の開示】
【発明が解決しようとする課題】
【０００８】
本発明は、前記問題に鑑みてなされたもので、屈曲部を有するプロテクタにおいて、簡単な構造で、プロテクタの外部にはみ出る電線をプロテクタ内に誘い込み、電線のかみ込みを防止することを課題としている。
【課題を解決するための手段】
【０００９】
前記課題を解決するため、本発明は、車両に配索するワイヤハーネス用の樹脂成形品からなるプロテクタであって、
底壁と両側壁とからなる樋形状の電線挿通部に、ワイヤハーネスの電線群をテープ巻き結束せずに挿通させるプロテクタ本体と、
前記プロテクタ本体の一側壁の先端より薄肉ヒンジ部を介して連結し、プロテクタ本体に電線群を挿通させた後に前記薄肉ヒンジ部を支点として回転させてプロテクタ本体の他端壁にロック結合する蓋と、
を備え、
前記プロテクタ本体と蓋は、直線路の間に屈曲部を備え、該屈曲部ではプロテクタ本体の側壁と蓋との間に前記薄肉ヒンジ部が設けられずに分断され、該プロテクタ本体の屈曲部の前記一側壁の先端より電線噛み込み防止用の可撓性を有する羽根部を突出しているワイヤハーネス用プロテクタを提供している。
【００１０】
本発明のプロテクタでは、前記のように、プロテクタ本体と蓋とが薄肉ヒンジ部で連結されていない屈曲部では、プロテクタ本体の側壁の先端から電線噛み込み防止用の可撓性を有する羽根部を突出しているため、屈曲部ではみ出そうとする電線が羽根部に当たってはみ出しを阻止でき屈曲部に沿わせて配索することができる。かつ、該羽根部により電線群の浮き上がりを押さえているため、プロテクタ本体の上面開口から電線群が大きく盛り上がらずにプロテクタ本体内に収容できる機能も有する。よって、プロテクタ内に挿通する電線を予めテープ巻き結束せずにバラバラの状態で挿通しても電線のはみ出しを前記羽根部で押さえることができる。
【００１１】
また、プロテクタ本体の上面開口を蓋により閉鎖する際、蓋が羽根部に当接して羽根部をプロテクタ本体内側に押し曲げると同時に、羽根部が外方の電線をプロテクタ本体内に誘い込んでいく。このため、電線がプロテクタ本体と蓋との間にかみ込まれることを防止できる。また、はみ出している電線を作業員が手で直しながらプロテクタ本体と蓋とのロック作業を行う必要がないので、電線をプロテクタへ収容する作業効率を向上させることができる。
さらに、プロテクタ本体の屈曲部に羽根部を設けるだけであるため、プロテクタ成形用の金型を複雑な構造とする必要はなく、金型作成コストを低減できる。
【００１２】
前記のように、薄肉ヒンジ部で連結されない屈曲部において、薄肉ヒンジ部の非連結側に羽根部を設けるだけでなく、プロテクタ本体にロック結合される蓋の先端側においても、プロテクタ本体の側壁先端より同様な羽根部を設けておくと、ロック結合側においても電線のはみ出しを防止し、電線の損傷発生を防ぐことができる。
【発明の効果】
【００１３】
前述したように、本発明のワイヤハーネス用プロテクタによれば、電線をダイレクトにプロテクタ内に配索する場合、プロテクタ本体と蓋とが薄肉ヒンジ部で連結されない屈曲部において、プロテクタ本体の側壁上端より羽根部を突設しているため、該羽根部で電線のはみ出しを抑制できると共に、蓋を閉鎖する際に、羽根部により電線をプロテクタ本体内に誘い込んでいくため、電線がプロテクタ本体と蓋との間にかみ込まれることを防止できる。また、はみ出している電線を作業員が手で直しながらプロテクタ本体と蓋とのロック作業を行う必要がないので、電線へのプロテクタの外装取り付け作業性を向上させることができる。
【発明を実施するための最良の形態】
【００１４】
以下、本発明の実施形態を図面を参照して説明する。
図１及び図２に本発明の第１実施形態を示す。
本発明のワイヤハーネス用プロテクタ１０は、図１に示すように、底壁１１ａと両側壁１１ｂ、１１ｃにより囲まれる電線挿通部１１ｄを有する樋形状のプロテクタ本体１１と、該プロテクタ本体１１の一側壁１１ｂの上端より薄肉ヒンジ部１３を介して連結した蓋１２とを備え、プロテクタ本体１１と蓋１２とを樹脂で一体成形している。
前記プロテクタ１０内の電線挿通部１１ｄには、ワイヤハーネスＷ／Ｈの電線群Ｗをテープ巻き結束せずに挿通している。
【００１５】
プロテクタ本体１１は、ワイヤハーネスＷ／Ｈを直線状に配索する直線部Ｂと、該直線状Ｂの間に設けた屈曲部Ａを設けた形状としている。蓋１２もプロテクタ本体１１と対応した位置に屈曲部Ｃを設けている。
【００１６】
プロテクタ本体１１の屈曲部Ａは、薄肉ヒンジ部１３で蓋１２と連結している一側壁１１ｂを他側壁１１ｃ側に向けて突出させた凹み側壁１１ｇとしている。該凹み側壁１１ｇは直線部Ｂの側壁と連続する傾斜側壁１１ｅと、傾斜側壁１１ｅの間を連結する直線側壁１１ｆからなる。また、他側壁１１ｃは一側壁１１ｂと平行に屈曲させ、外方へ突出させた凸状側壁１１ｇとしている。
プロテクタ本体１１の屈曲部Ａでは、一側壁１１ｂ側の凹み側壁１１ｇの上端と蓋１２の屈曲部Ｃとの間には薄肉ヒンジ部１３が設けられず、プロテクタ本体１１と蓋１２とは分断している。
【００１７】
プロテクタ本体１１の一側壁１１ｂの屈曲部Ａでは、両側の傾斜側壁１１ｅと直線側壁１１ｆの上端には、電線噛み込み防止用の羽根部１４を突出させている。羽根部１４は矩形状とすると共に、薄肉状として可撓性を持たせており、かつ、図２に示すように、プロテクタ本体１１内側に向かう円弧状に成形している。
また、直線部Ｂの他側壁１１ｃにも、屈曲部Ａの両端に隣接する位置に、前記羽根部１４と同様な可撓性を有する羽根部１４０を突設している。
【００１８】
蓋１２の開閉側先端には、所要間隔をあけて複数のロック爪１５を下向きに突設し、プロテクタ本体１１の他側壁１１ｃの外面の上端に、ロック爪１５を挿入係止するロック枠部１６を突設している。プロテクタ本体１１に電線群Ｗを挿通させた後に、薄肉ヒンジ部１３を支点として蓋１２を回転させ、プロテクタ本体１１の他側壁１１ｃにロック結合している。
【００１９】
次に、前記プロテクタ１０へのワイヤハーネスＷ／Ｈへの通し作業を、図２（Ａ）〜（Ｃ）に基づいて説明する。図２はプロテクタ１０の屈曲部Ａでの断面図である。
まず、プロテクタ本体１１内に、上面開口よりワイヤハーネスＷ／Ｈの電線群Ｗを挿通する。このとき、図２（Ａ）に示すように、屈曲部Ａにおいては羽根部１４によって電線群Ｗが外側へはみ出そうとする電線を規制し、電線群Ｗは屈曲部Ａに沿って屈曲して挿通される。電線群Ｗは、前記したように、テープ巻き結束しておらず、バラバラの状態でプロテクタ本体１１の電線挿通部１１ｄ内に通している。
【００２０】
電線群Ｗをプロテクタ本体１１内にすべて通した後、薄肉ヒンジ部１３を支点として蓋１２をプロテクタ本体１１側に回転させて閉じていく。該蓋１２の回転時に、図２（Ｂ）に示すように、蓋１２が羽根部１４に当接すると羽根部１４をプロテクタ本体１１側に曲げていき、羽根部１４の内面側に接する電線をプロテクタ本体１１内に誘い込むように押し込んでいくと共に、プロテクタ本体の上面開口より盛り上がっている電線も羽根部１４により電線挿通部１１ｄ内に上部にはみ出した電線群Ｗをプロテクタ本体１１内に押し込んでいく。
【００２１】
さらに、蓋１２をプロテクタ本体１１側に回転させ、図２（Ｃ）に示すように、蓋１２が他側壁１１ｃの先端より突出している羽根部１４０と接すると、該羽根部１４０を下向きに押し下げて、電線挿通部１１ｄの他半側に挿通した電線ｗを押し下げていくと共に羽根部１４０で接する電線ｗを電線挿通部１１ｄ内に誘い込んでいく。
これにより、屈曲部Ａの幅方向の両側の側壁１１ｂ、１１ｃの先端から電線ｗが外方にはみ出すことを防止できる。
【００２２】
蓋１２の先端が他側壁１１ｃの先端と当接して、電線挿通部１１ｄの上端開口を閉鎖した後、蓋１２のロック爪１５をプロテクタ本体１１のロック部１６に係止して、プロテクタ本体１１と蓋１２をロック結合する。このとき、電線群Ｗは羽根部１４、１４０でしっかりと電線挿通部１１ｄ内に押し込まれているため、蓋１２とプロテクタ本体１１との間にかみ込まれることは無い。
【００２３】
前記構成によれば、プロテクタ本体１１の上面開口を蓋１２により閉鎖する際、薄肉ヒンジ部１３で連結されていない側において、蓋１２が羽根部１４に当接して羽根部１４をプロテクタ本体１１内側に押し曲げ、羽根部１４の内面に当接した電線をプロテクタ本体１１内に誘い込んでいくため、電線がプロテクタ本体１１と蓋１２との間にかみ込まれることを防止できる。かつ、蓋１２の開閉端側においても、蓋１２で羽根部１４０を上面開口より内部側へと押し込んでいくため、ロック結合される蓋１２の開閉端側でも電線のはみ出しを防止できる。
このように、羽根部１４と１４０で電線のはみ出しを防止しているため、従来の作業工程で必要となる作業員がはみ出している電線を手で直しながらプロテクタ本体１１と蓋１２とのロック作業を行う必要がなく、電線をプロテクタ１０へ収容する作業効率を向上させることができる。
【００２４】
図３に、第１実施形態の第１変形例を示す。
羽根部１４を、プロテクタ本体１１の一側壁１１ｂの凹み側壁１１ｇの直線側壁１１ｆの先端に設けているが、傾斜側壁１１ｅには設けていない。
前記構成であっても、屈曲部を備えたワイヤハーネス用プロテクタ１０の電線挿通部１１ｄにワイヤハーネスを挿通する際、電線群Ｗが屈曲部Ａの一側壁１１ｂの先端に設けた羽根部１４に当たることで配索規制されるため、屈曲部Ａに沿わせて配索することができる。また、羽根部１４により電線群Ｗの浮き上がりを押さえ、プロテクタ本体１１から電線群Ｗが大きくはみ出すことを防いでいる。
なお、他の構成および作用効果は第１実施形態と同様のため、同一の符号を付して説明を省略する。
【００２５】
図４に、本発明の第２実施形態を示す。
プロテクタ本体１１の屈曲部Ａの直線側壁１１ｆを、プロテクタ本体１１の長さ方向に直線部Bの長さよりも長くしており、一側壁１１ｂの該直線側壁１１ｆの開口側先端に所要間隔をあけて複数の羽根部１４を設けている。本実施形態では４つの羽根部１４Ａ〜１４Ｄとしている。
また、蓋１２の屈曲部Ｃもプロテクタ本体１１の屈曲部Ａに対応した形状としている。
前記構成によっても、プロテクタ本体１１の上面開口を蓋１２により閉鎖する際、羽根部１４が蓋１２によりプロテクタ本体１１内側に曲げられると同時に、羽根部１４ははみ出した電線をプロテクタ本体１１内に誘い込んでいくため、電線がプロテクタ本体１１と蓋１２との間にかみ込まれることを防止できる。
なお、他の構成および作用効果は第１実施形態と同様のため、同一の符号を付して説明を省略する。
【００２６】
図５に、本発明の第３実施形態を示す。
第２実施形態と同様のプロテクタ本体１１において、屈曲部Ａの一側壁１１ｂの直線側壁１１ｆの先端に羽根部１４を突出させている。羽根部１４はプロテクタ本体１１の長さ方向に長くしている。また、蓋１２の屈曲部Ｃもプロテクタ本体１１の屈曲部Ａに対応した形状としている。
前記構成によっても、プロテクタ本体１１の上面開口を蓋１２により閉鎖する際、羽根部１４ははみ出した電線をプロテクタ本体１１内に誘い込んでいくため、電線がプロテクタ本体１１と蓋１２との間にかみ込まれることを防止できる。
なお、他の構成および作用効果は第２実施形態と同様のため、同一の符号を付して説明を省略する。本件は一例であり、羽根部の形状、個数、取り付け位置等の仕様は本案を逸脱しない範囲で変更することが出来る。
【図面の簡単な説明】
【００２７】
【図１】本発明であるワイヤハーネス用プロテクタの第１実施形態を示す斜視図である。
【図２】ワイヤハーネス用プロテクタのロック結合の工程を示すＡ−Ａ断面図である。
【図３】第１実施形態の変形例に係るワイヤハーネス用プロテクタを示す斜視図である。
【図４】第２実施形態に係るワイヤハーネス用プロテクタを示す斜視図である。
【図５】第３実施形態に係るワイヤハーネス用プロテクタを示す斜視図である。
【図６】（Ａ）（Ｂ）は従来例を示す斜視図である。
【図７】他の従来例を示す斜視図である。
【符号の説明】
【００２８】
１０  ワイヤハーネス用プロテクタ
１１  プロテクタ本体
１１ａ  底壁
１１ｂ  一側壁
１１ｃ  他側壁
１１ｄ  電線挿通部
１２  蓋
１３  薄肉ヒンジ部
１４  羽根部
Ａ  屈曲部
Ｂ  直線部
Ｃ  蓋の屈曲部
Ｗ／Ｈ  ワイヤハーネス
Ｗ  電線群
【図１】
2009171816.tif 000003
【図２】
2009171816.tif 000004
【図３】
2009171816.tif 000005
【図４】
2009171816.tif 000006
【図５】
2009171816.tif 000007
【図６】
2009171816.tif 000008
【図７】
2009171816.tif 000009